(57)【特許請求の範囲】
【請求項１】
版面に少なくともインクを供給し、媒体に印刷を行う印刷機において、前記版面が形成され、回転する版胴と、前記版胴に少なくとも前記インクを供給する供給装置と、前記版胴の前記版面の画像を転写され、前記転写画像で前記媒体を印刷するブランケット胴と、前記版胴と前記ブランケット胴との位置を、前記媒体の厚み、印刷位置に応じて、調整する調整機構と、前記版胴に、印刷すべき画像を書き込む書込み装置を有し、前記版面を作成する製版装置と、前記版胴に設けられたターゲットと、前記ターゲットを検出する検出機構と、前記版胴を駆動する版胴駆動系のエンコーダ出力に応じて、前記回転する版胴に対する、前記書込み装置の書込み動作を制御し、且つ前記検出機構の出力に応じて、前記版胴駆動系のエンコーダの版胴位相に対するゼロ点を補正する制御装置とを有し、前記書込み装置は前記版胴の回転軸方向に移動する書込みヘッドを備え、同書込み装置の支持台に前記検出機構を設けてなることを特徴とする製版型印刷機。
【請求項２】
前記製版装置は、前記版胴に版面形成層を形成する版面形成層形成機構と、前記書込み装置で書き込まれた前記版面形成層を現像して前記版面に製版し、且つ前記版面形成層を除去する版再生機構とを有することを特徴とする請求項１の製版型印刷機。
【発明の詳細な説明】
【０００１】
【発明の属する技術分野】
本発明は、印刷機上で版を作成する製版型印刷機に関し、特に、版胴に画像を書込み、版面を作成する製版型印刷機に関する。さらに詳しくは、印刷のための版胴位置の調整を行っても、書込み装置と版胴の位相、位置を適切なものに設定するための製版型印刷機に関する。
【０００２】
【従来の技術】
オフセット印刷機では、版胴に製版されたＰＳ版を装着し、これに湿し水とインクを供給し、湿し水とインクの反発作用によるＰＳ版上の画像をブランケット胴に転写し、紙に印刷を行うものであった。しかし、この方法では、印刷内容の変更を行うため、別に設けた製版機で印刷版（ＰＳ版）を作成し、印刷機の版胴又はＰＳ版を交換するという作業を必要とする。
【０００３】
この交換作業を省くため、印刷機上で、製版を行う印刷機上の製版方法が提案されている。例えば、特開平１−１５２４５９号公報では、版胴に、感光性樹脂を塗布し、感光性樹脂を露光し、現像して、版胴に印刷版（版面）を作成し、これに、湿し水とインクを供給し、湿し水とインクの反発作用による印刷版上の画像をブランケット胴に転写し、紙に印刷を行うことが提案されている。この方法では、版を再生するには、前述の印刷版を形成する感光性樹脂を溶解、除去することにより、前述の印刷版の作成を行うものである。
【０００４】
【発明が解決しようとする課題】
版胴を露光するには、回転する版胴に、書込み装置から画像を書込む必要がある。この書込みには、書込みヘッドが利用される。版胴に対する書込みヘッドの位置が、正確であれば、精度の高い書込みができ、高解像度の画像を書き込んだ版面を形成できる。
【０００５】
しかしながら、オフセット印刷機では、紙厚や紙上での印刷位置の調整のため、印刷時に版胴の位置を調整する機構を備えている。この調整を行うと、書込みヘッドと、版胴の位相、位置関係がずれ、製版時に、高精度の版面の作成が困難であるという問題が生じる。
【０００７】
従って、本発明の目的は、印刷時に、版胴の位相調整を行っても、製版時に、版胴に対する書込みヘッドの書込み位相を適切に設定するための製版型印刷機を提供することにある。
【０００９】
本願発明のさらに他の目的および利点は、以下の説明から明らかになるであろう。
【００１０】
【課題を解決するための手段】
この目的の達成のため、本発明の製版型印刷機は、版面に少なくともインクを供給し、媒体に印刷を行う印刷機において、前記版面が形成され、回転する版胴と、前記版胴に少なくとも前記インクを供給する供給装置と、前記版胴の前記版面の画像を転写され、前記転写画像で前記媒体を印刷するブランケット胴と、前記版胴と前記ブランケット胴との位置を、前記媒体の厚み、印刷位置に応じて、調整する調整機構と、前記版胴に、印刷すべき画像を書き込む書込み装置を有し、前記版面を作成する製版装置と、前記版胴に設けられたターゲットと、前記ターゲットを検出する検出機構と、前記版胴を駆動する版胴駆動系のエンコーダ出力に応じて、前記回転する版胴に対する、前記書込み装置の書込み動作を制御し、且つ前記検出機構の出力に応じて、前記版胴駆動系のエンコーダの版胴位相に対するゼロ点を補正する制御装置とを有し、前記書込み装置は前記版胴の回転軸方向に移動する書込みヘッドを備え、同書込み装置の支持台に前記検出機構を設けてなることを特徴とする。
【００１２】
本発明は、調整機構により、版胴位置が、書込み装置からずれても、版胴に設けたターゲットを、書込み装置のセンサが検出して、エンコーダのゼロ点を補正するため、書込み開始位置を均一に且つ高精度に保つことができる。
【００１７】
【発明の実施の形態】
以下、本発明の実施の形態を、製版型印刷機、製版型印刷機の動作、見当・紙厚調整機構、製版時の書込み動作保障機構、他の実施の形態の順で説明する。各図において、同一の部分については同一の符号を付すものとする。なお、これらの図及び説明は本願発明を例示するものであり、本願発明の範囲を制限するものではない。本願発明の趣旨に合致する限り他の実施の形態も本願発明の範疇に属し得ることは言うまでもない。
【００１８】
［製版型印刷機］
図１は、本発明の製版型印刷機の一実施の形態の構成図、図２は、図１の製版型印刷機の詳細構成図、図３は、図１の製版型印刷機の版再生プロセスの説明図である。
【００１９】
図１は、製版型印刷機として、版を再生する製版型印刷機を示す。この構成を説明する前に、図３により、この印刷機に適用した印刷機上製版方法（版再生方法）を、説明する。この印刷機上製版方法は、図３（Ａ）乃至図３（Ｅ）に示すように、「画線材塗布・乾燥工程」（図３（Ａ））、「画像書込み工程」（図３（Ｂ））、「現像工程」（図３（Ｃ））、「印刷工程」（図３（Ｄ））及び「洗浄・再生工程」（図３（Ｅ））からなる。
【００２０】
図３（Ａ）に示すように、印刷用版体（版体）Ｐは、基材１と、基材１の表面（版体表面、版面）に形成される画線材（光感応性層、例えば、感光性版剤層）２とからなる。なお、本願明細書において、版体表面または版面とは、以下の説明から明らかになるとおり、基材１の表面のみ、画線材（感光性版剤層）２のみの各種要素から構成され得るものであり、具体的構成は、場合に応じて判断されるべきものである。同様に、「版体」と言う場合は、感光性版剤層２を含む場合も、含まない場合もあり得るため、具体的構成は、場合に応じて判断されるべきものである。
【００２１】
基材１は、砂目処理されたアルミニウムやステンレス等の金属、ポリマーフィルムなどで構成されている。ただし、基材１の材質は、これらアルミニウムやステンレス等の金属あるいはポリマーフィルムに限定されるものではない。この基材１の表面上には、図示しない中間層（後述する親水化層）が形成される。中間層としては、例えば、シリカ（ＳｉＯ２）、シリコーン樹脂、シリコーンゴム等のシリコーン系化合物がその材質として利用される。この中間層は、基材１に親水性を付与するためと、後述する感光性版剤層２との付着を確実なものとならしめるため、また密着性を向上させるために形成されるものである。
【００２２】
感光性版剤層２としては、種々の光重合性組成物を使用でき、例えば、特開平１−１５２４５９号公報に開示された疎水性感光樹脂の一層又は多層のものを適用できる。特に、次の光重合性組成物は、好適な例である。
【００２３】
（１）エチレン性単重量体及び光重合開始系を含有する光重合性組成物であって、エチレン性単量体として、一分子中に、４つ以上のウレタン結合と、４つ以上の付加重合可能な二重結合を有するウレタン系化合物を含有する光重合性組成物（特願２００１−０１６５３６号）。
【００２４】
（２）エチレン性化合物、ポリメチレン鎖を介して複数環が結合した構造のシアニン系増感色素カチオン及び／又はフタロシアニン系増感色素、有機硼素アニオン及び／又はハロメチル基含有化合物を含有する、８００〜１３００ｎｍの近赤外線レーザー露光用光重合性組成物（特願２０００−３６２４２２号）。
【００２５】
（３）エチレン性不飽和化合物及び光重合開始系を含有する光重合性組成物であって、光重合開始系が、ヘキサアリールビイミダゼール系化合物又はチタノセン化合物と、ジアルキルアミノベンゼン系化合物である、４００〜４２０ｎｍの青紫色レーザー露光用光重合性組成物（特願２０００−３６４３１０号）。
【００２６】
先ず、図３（Ａ）に示すように、基材１に感光性版剤を溶液に溶解又は分散させた画線材液（ポリマー液）を塗布し、乾燥して、基材１上に感光性版剤層２を形成する。
【００２７】
次に、図３（Ｂ）に示すように、感光性版剤層２に、レーザー等で画像を書き込む。更に、図３（Ｃ）に示すように、感光性版剤層２を現像処理液で現像する。これにより、感光性版剤層２の光照射部２−１は、溶解し、基材１の親水性表面が露出する。非光照射部２−２では、感光性版剤層２が残り、疎水性のままである。
【００２８】
ここで、親水性表面とは、水の接触角が１０°以下の表面であり、疎水性表面とは、水の接触角が５０°以上、好ましくは８０°以上の疎水性部分であり、印刷用の疎水性インキが容易に付着し、一方、湿し水の付着は困難な状態になっている。
【００２９】
上記までの処理が終了したら、図３（Ｄ）に示すように、感光性版剤層２表面に、印刷用の疎水性インキ３と湿し水４を混合した状態で塗布する。すると、感光性版剤層２の疎水性部２−２に、疎水性インキ３が付着し、残りの親水性部分２−１には、湿し水４が優先的に癒着する一方、疎水性インキ３ははじかれて付着しない。このように画像を形成することにより、感光性版剤層２表面は、印刷用版体としての機能を有することになる。この後、通常の印刷工程を実行し、これを終了させる。即ち、ブランケット胴に転写し、紙に転写して、印刷する。
【００３０】
次に、印刷用版体Ｐの再生方法について説明する。図３（Ｅ）に示すように、まず、インキ除去工程として、印刷終了後の感光性版剤層２表面に付着したインキ、湿し水、紙粉などを拭き取る。次に、剥離液を供給し、感光性版剤層２を分解して除去し、プレートクリーナー液で洗浄する。これにより、基材１から感光性版剤層２を剥離する。これにより、再生が終了する。
【００３１】
次に、図１及び図２により、本発明の製版型印刷機の実施の形態を説明する。
【００３２】
図１において、印刷機１０は、印刷用版体（版面）Ｐが巻きつけられる版胴１１と、版胴１１に湿し水４を供給する湿し水供給器１８と、版胴１１に疎水性インク３を供給するインクローラ１７と、版胴１１のインク画像が転写されるブランケット胴（ゴム胴）２０と、用紙２２をブランケット胴２０と挟んで、搬送する圧胴２１とを有する。
【００３３】
この構成により、回転する版胴１１に巻きつけられた印刷用版体Ｐに、インク３と湿し水４が供給され、インク画像が形成され、これが、回転するブランケット胴２０に転写され、圧胴２１に挟まれた用紙２２に転写され、印刷が行われる。
【００３４】
印刷機上製版装置では、この版胴１１の周囲に、版再生モジュール（製版装置）１９が設けられる。この版再生モジュール１９は、図の矢印Ａの方向に移動可能であり、版の交換時や、印刷機及び版再生モジュールのメインテナンス時に、版胴１１から退避することができる。
【００３５】
この版再生モジュール１９は、画線材（ポリマー）塗布装置１４と、現像装置と剥離装置を兼ねる水溶液塗布装置（版面処理装置）１３と、版面洗浄装置１５と、画像書込み装置１６と、非接触温度センサ３６とを備えている。この版再生モジュール１９に対し、版胴１１を挟んで、乾燥装置１２が設けられている。
【００３６】
この画線材（ポリマー）塗布装置１４と、水溶液塗布装置１３と、版面洗浄装置１５と、画像書込み装置１６とには、各々アクチュエータ３０，３１，３２，３３が設けられ、版胴１１に接近、退避できる。これらのアクチュエータ３０〜３３は、例えば、エアシリンダーで構成され、制御部３５により、制御される。
【００３７】
印刷用版体Ｐは、版胴１１に巻き付けられて設置される。版面洗浄（クリーニング）装置１５は、ガム引き装置を内蔵し、印刷終了後の版面のインキ、湿し水、紙粉などを除去するものである。水溶液塗布装置１３は、版体Ｐの版面に現像液を塗布し、版体Ｐの感光性版剤層２を現像する現像機能と、版体Ｐの版面に剥離液を塗布して、感光性版剤層２を分解、除去する剥離機能とを有する。
【００３８】
画線材塗布装置１４は、感光性版剤層２を形成する感光性版剤液（ポリマーという）を、版体Ｐの基材１に塗布するものである。乾燥装置１２は、印刷用版体Ｐを乾燥するものであり、基材１上に塗布された感光性版剤液を乾燥して、有機溶剤等をとばして、感光性版剤層２を容易に形成するものである。画線部書込み装置１６は、版体Ｐの感光性版剤層２表面に光（赤外線等）を照射して、画線部を形成するものである。例えば、レーザー露光装置で構成される。
【００３９】
これら装置の配置を説明する。画線材塗布装置１４は、版胴１１のできるだけ上の位置に設けられる。即ち、版胴１１の回転方向の上流側に設けられる。疎水化剤、即ち、ポリマーは、版の性能を左右する感光性版剤層２を形成するため、最も不純物の混入を回避する必要があり、最も高い精度の塗布が必要である。感光性版剤層２を形成するだけのため、溶剤の使用量が少なく、液漏れや飛び散りも少ない。このため、洗浄装置１５、水溶液塗布装置１３よりも上方に配置する。
【００４０】
次に、水溶液塗布装置１３は、現像及び剥離の版面処理液を使用するため、水溶液を多量に使用する。このため、液漏れ量や飛び散り量が比較的多い。これによる他の装置への影響を防止するため、版胴１１の出来るだけ下の位置、即ち、版胴１１の回転方向の最下流側に設ける。
【００４１】
画線部書込み装置１６は、処理液体による光学系の汚染、電気精密部品への悪影響を避けるため、洗浄装置１５、水溶液塗布装置１３より上方に設ける。又、版面に対し、水平にすることにより、部品の加工精度、取り付け精度を向上できる。逆説すれば、取り付け精度の確認が容易となる。更に、この実施の形態では、書込み装置１６が単体で退避できるため、液漏れや版胴１１からの溶剤、インキの飛び散りによる汚れを回避できる。
【００４２】
版面洗浄装置１５は、洗浄液の飛び散り、漏れの懸念から、ポリマー塗布装置１４、書込み装置１６より下方に設ける。この実施の形態では、溶剤を使用していないため、装置全体の可動が容易であるため、書込み装置１６と入れ換えるように構成し、スペースの削減を図る。
【００４３】
乾燥装置１２は、多量の熱を発生するため、他の装置（特に、レーザー書込み装置１６）への熱の影響を防止するため、書込み装置１６から出来るだけ遠くの位置に配置する。この実施の形態では、湿し水供給装置１８の下に空きスペースがあるため、書込み装置１６から遠く、且つ空きスペースに配置している。
【００４４】
版面温度センサ３６は、現像工程において、現像時間（版面回転数、時間）を調整するため、版面温度を検出するものであり、水溶液塗布装置１３の近くに設置し、温度測定精度を向上する。
【００４５】
このように配置したので、版胴１１の基材１に形成する感光性版剤層２の不純物の混入を回避でき、しかもコンパクトに構成できる。このため、既存の印刷機に設置しても、印刷機の大型化を防止できる。又、多量に溶液を使用する水溶液塗布装置１３を下部に設けたため、書込み装置や洗浄装置の汚れを防止できる。
【００４６】
次に、これら装置１２〜１６の詳細構成を、図２により説明する。尚、図２では、図１で示したものと同一のものは、同一の記号で示してある。図２に示すように、画線材（ポリマー）塗布装置１４は、版胴１１の回転（時計）方向と反対（反時計）方向に回転する塗布ローラ１４−１と、ワイヤーバー１４−２とを有する。
【００４７】
ポリマー液供給・回収装置４０は、塗布ローラ１４−１とワイヤーバー１４−２との間に、ポリマー液を滴下し、且つ塗布装置１４からポリマー液を回収し、再使用する。塗布ローラ１４−１とワイヤーバー１４−２の間を通過したポリマー液が、塗布ローラ１４−１で版胴１１の基材１に塗布されるため、均一の厚みの感光性版剤層２を形成できる。
【００４８】
洗浄装置１５は、プレートクリーナ液供給装置４１とインク洗浄液供給装置４２とに切り換え弁４３を介し接続された滴下管４４を有する。洗浄装置１５の本体は、洗浄用のフェルト１５−１を先端に有し、滴下管４４からの滴下液をフェルト１５−１に受け、版胴１１を洗浄する。この洗浄装置１５の本体は、図のように移動可能である。
【００４９】
水溶液塗布装置１３は、版胴１１の回転（時計）方向と反対（反時計）方向に回転する塗布ローラ（弾性ローラ）１３−１と、膜厚規制ローラ（膜厚規制部材）１３−２とを有する。図２に示したように、現像液供給装置４５と現像停止液供給装置４６と剥離液供給装置４７は、切り換え弁５０を介し、水溶液塗布装置１３の両ローラ１３−１，１３−２の間の上部に設けられた滴下管４９に、各々現像液、現像停止液（例えば、水）、剥離液を供給する。
【００５０】
廃液タンク４８は、水溶液塗布装置１３からの廃液を回収する。塗布ローラ１３−１と層厚規制ローラ１３−２の間を通過した処理液（現像液、現像停止液、剥離液）が、塗布ローラ１３−１で版胴１１の基材１に塗布されるため、多量の水溶液を使用しても、液漏れ、液の飛散を最小限に抑えることができる。
【００５１】
又、水溶液塗布装置１３は、現像装置と、剥離装置を兼ねているため、コンパクトな構成で、感光性版剤層２の現像と剥離ができ、印刷機上製版装置の導入が容易である。
【００５２】
乾燥装置１２は、版胴１１にエアーを吹き付けるエアーパージ装置１２−２と、版胴１１に熱風を吹き付ける熱風器１２−１で構成されている。エアーパージ装置１２−２は、版胴１１の異物を除去する。
【００５３】
［製版型印刷機の動作］
次に、図４により、この印刷機の動作シーケンスを説明する。
【００５４】
（１）版再生装置退避工程
版再生モジュール１９を版胴１１から手動で退避し、版胴１１にスペースを付与する。これにより、版（基材）１の交換スペースを確保できる。同様に、印刷機や再生装置のメインテナンススペースを確保できる。即ち、版再生装置の各装置を版再生モジュールとして、一体に構成することにより、モジュールを移動することにより、基材の交換、装置のメインテナンスを容易に行うことができる。
【００５５】
（２）基材交換
版胴１１を１回転し、旧基材１を取り出し、新基材１を取り付ける。
【００５６】
（３）版再生装置復帰
版再生モジュール１９を動作位置に復帰する。これにより、動作可能となる。
【００５７】
（４）画線材塗布工程
図６の矢印Ｂに示すように、ブランケット胴２０を偏心機構により、版胴１１から離し、アクチュエータ３０により、画線材（ポリマー）塗布装置１４の塗布ローラ１４−１を版胴１１の基材１に接触させる。次に、ポリマー液供給・回収装置４０から塗布ローラ１４−１にポリマー液を供給しながら、塗布ローラ１４−１と版胴１１を回転する。版胴１１の１回転により、版胴１１に取り付けられた基材１にポリマー液（画線材）を塗布する。
【００５８】
（５）乾燥工程
図２の塗布ローラ１４−１を退避し、乾燥装置１２を動作し、版胴１１を回転して、版胴１１の基材１に塗布されたポリマー液を乾燥し、基材１上に感光性版剤層２を形成する。この基材１上に感光性版剤層２を定着するのに、版胴１１の複数回転を行う。
【００５９】
（６）画像書込み工程
図１に示すように、アクチュエータ３１により、画像書込み装置１６を書込み位置（書込み装置１６のレーザー光が、基材１の感光性版剤層２に焦点する位置）に、移動し、版胴１１を回転しながら、版胴１１の感光性版剤層２へ画像データに応じレーザー照射し、螺旋状に画像露光し、画像を書き込む。
【００６０】
（７）現像工程
図２及び図１に示すように、アクチュエータ３３により、水溶液塗布装置１３の塗布ローラ１３−１を版胴１１の感光性版剤層２に接触させる。次に、現像液供給装置４５から塗布ローラ１３−１に現像液（現像処理液）を供給しながら、塗布ローラ１３−１と版胴１１を回転する。これにより、塗布ローラ１３−１は、版胴１１の感光性版剤層２に現像液を塗布し、現像を行う。この時、書込み装置１６は、現像処理液による汚染を避けるため、退避することが望ましい。
【００６１】
制御部５０は、温度センサ３６の版面検出温度を検出し、現像の進行状況を監視し、版胴１１の回転数を制御する。制御部５０は、版面検出温度から現像が終了（画線部と非画線部が形成された）と判定すると、現像液供給装置４５からの現像液（現像処理液）の供給を停止する。
【００６２】
次に、現像停止液供給装置４６から塗布ローラ１３−１に現像停止液（定着液、例えば、水）を供給しながら、塗布ローラ１３−１と版胴１１を回転し、塗布ローラ１３−１により、現像停止液を版胴１１の感光性版剤層２に塗布する。これにより、定着が行われる。更に、エアーパージ装置１２−２により、版胴１１の感光性版剤層２の現像処理液が除去される。
【００６３】
（８）印刷工程
図１、２に示すように、印刷工程は、アクチュエータ３３により、水溶液塗布装置１３の塗布ローラ１３−１を版胴１１から退避し、インキングローラ１７、湿し水供給装置１８及びブランケット胴２０を、版胴１１に対して接する状態とする。そして、圧胴２１により、紙２２をブランケット胴１９に接するようにして、かつ矢印Ｄの方向に搬送する。こうすることによって、版胴１１の印刷版Ｐに形成されたインク像が、ブランケット胴２０を介し紙２２に転写され、連続的な印刷が行われる。
【００６４】
（９）洗浄工程
上記したように印刷を終了した版体の再生のための洗浄は、次のように行われる。まず、アクチュエータ３２により、版体洗浄装置１５を版胴１１に対して接した状態とし、インク洗浄液供給装置４２から滴下管４４に、インク洗浄液を供給する。これにより、洗浄装置１５のフェルト１５−１にインク洗浄液が滴下され、版胴１１の感光性版剤層２の表面上に付着したインキ、湿し水、紙粉などを拭き取る。
【００６５】
その後、洗浄装置１５を版胴１１から脱離させ、水溶液塗布装置１３の塗布ローラ１３−１を版胴１１の感光性版剤層２に接触させる。次に、剥離液供給装置４７から滴下管４９に、剥離液を供給し、塗布ローラ１３−１により、剥離液を版胴１１の感光性版剤層２に塗布する。これにより、感光性版剤層２が分解し、塗布ローラ１３−１で回収され、感光性版剤層２を剥離する。
【００６６】
（１０）再生工程
版体洗浄装置１５を版胴１１に対して接した状態とし、プレートクリーナ液（親水性処理液）供給装置４１から滴下管４４に、プレートクリーナ液を供給する。これにより、洗浄装置１５のフェルト１５−１にプレートクリーナ液が滴下され、版胴１１の基材１にプレートクリーナ液が塗布され、基材１が親水化処理される。
【００６７】
次に、定着停止液供給装置４６から滴下管４９に、定着停止液（水）を供給し、塗布ローラ１３−１により、定着停止液（水）を版胴１１の基材１に供給し、親水化処理液を除去する。基材１が水洗浄され、（４）の画線材の塗布が可能となる。
【００６８】
［見当・紙厚調整機構］
図５は、図１の構成の見当・紙厚調整機構の斜視図、図６は、紙厚調整の説明図、図７は、見当・紙厚調整動作の説明図である。
【００６９】
図５に示すように、版胴１１の回転軸は、偏心軸受４１に軸支され、回転軸を移動できる。又、ブランケット胴（ゴム胴）２０の回転軸も、偏心軸受４２で軸支され、軸受４２内で回転軸を移動できる。これら版胴１１とブランケット胴２０の回転軸は、リンク機構４３で接続されている。紙厚調整レバー４４は、回転により、ブランケット胴２０の回転軸を偏心軸受４２内で移動する。
【００７０】
又、版胴１１とブランケット胴２０の回転軸を、各々の偏心軸受４１、４２内で、独立に移動する機構を、リンク機構４３と別に備えている。
【００７１】
先ず、紙厚調整を説明する。図６（Ａ）、図７（Ａ）に示すように、所定の紙厚の紙を印刷する場合には、圧胴２１とブランケット胴２０との間に、その紙厚に応じたすきまを設定し、圧胴２１とブランケット胴２０とでその厚みの紙を搬送しながら、印刷する。この時、版胴１１とブランケット胴２０とは、所定のベアラコンタクト圧で接触することにより、版胴１１のインク画像をブランケット胴２０に転写できる。
【００７２】
一方、図６（Ｂ）に示すように、厚みの厚い厚紙を印刷する時は、圧胴２１とブランケット胴２０とでその厚みの紙を搬送しながら、印刷するため、圧胴２１とブランケット胴２０との間に、その紙厚に応じたすきまを設定する必要がある。この場合、圧胴は固定のため、ブランケット胴２０が移動し、圧胴２１とブランケット胴２０との間に、厚紙の紙厚に応じたすきまを設定する。
【００７３】
図６（Ｂ）に示すように、このブランケット胴２０が移動した時、版胴１１が移動しない場合には、版胴１１とブランケット胴２０とのベアラコンタクト圧が変化し、版胴１１のインク画像をブランケット胴２０に、良好に転写できない。
【００７４】
このため、図７（Ｂ）に示すように、版胴１１の偏心軸受４１とリンク機構４４により、ブランケット胴２０の移動に伴い、版胴１１が追従移動する。これにより、版胴１１とブランケット胴２０とのベアラコンタクト圧が一定に保たれる。
【００７５】
次に、見当調整を説明する。見当調整は、紙への印刷位置（画像転写位置）を調整するものであり、３つの種類がある。１つ目は、幅方向の位置の調整のため、版胴１１を版胴１１の回転軸方向に移動するものである。２つ目は、紙の搬送方向（紙の長さ方向）の位置の調整のため、図７（Ｃ）の矢印に示すように、版胴１１を回転させ、版胴１１の位相を調整するものである。例えば、版胴を駆動するはす歯の噛み合わせを変え、版胴１１の回転方向の調整を行う。３つ目は、紙の斜め方向の位置調整であり、版胴１１の回転軸の両端を独立に左右移動して、斜め方向の調整を行う。
【００７６】
このような紙厚・見当調整は、版動１１の偏心軸受４１と、偏心軸受４１内で版動１１の回転軸を移動するアクチュエータとにより、外部からの指示で、行われる。
【００７７】
又、図７（Ｄ）に示すように、前述したように、製版時には、版動１１からブランケット胴２０が離れる。これも、両偏心軸受４１、４２の動作で実現できる。
【００７８】
［製版時の書込み動作保証機構］図８は、本発明の版胴書込み装置の実施の一形態の構成図、図９は、図８の構成の画像形成動作の説明図、図１０は、図８の構成のゼロ復帰動作の説明図である。図中、図１、図２で説明したものと同一のものは、同一の記号で示してある。
【００７９】
図８において、書込み装置１６は、レーザー発光素子を有する書込みヘッド１６０と、支持体１６１と、書込みヘッド１６０を版胴１１の回転軸方向に、移動するためのモータ１６２、送りねじ１６６とを有する。図９に示すように、書込みヘッド１６０は、版胴１１にドット露光し、版胴１１の回転と書込みヘッド１６０の軸方向移動により、版胴１１に螺旋状に画像が書き込まれる。
【００８０】
この書込みヘッド１６０は、例えば、版胴１１に２０ミクロン程度のドットを書き込むため、版胴１１と書込みヘッド１６０との距離を一定にすることにより、精度の高い書込みが可能となる。又、版胴１１自体の回転位相を規定する版胴駆動系の位相に合わせて、書込みヘッド１６０の書込みを開始することも、高精度の画像形成に必要となる。
【００８１】
即ち、図１０（Ａ）に示すように、版胴１１の回転原点Ｒに、書込み装置１６の駆動位相が一致していれば、書込み装置１６は、版胴１１の回転原点Ｒから画像を書き込みできる。一方、図１０（Ｂ）、図１０（Ｃ）に示すように、版胴１１の回転原点Ｒに、書込み装置１６の駆動位相が一致していない場合には、書込み装置１６は、駆動位相を、版胴１１の回転原点Ｒに一致させないと、回転原点Ｒから画像を書き込みができない。
【００８２】
通常、駆動位相を、回転原点に一致する、即ち、回転原点でゼロ復帰するように、設計するが、前述の見当調整や紙厚調整により、版胴１１が、回転及び平面方向に移動するため、ずれが生じる。図１０（Ｂ）の場合は、見当調整で、版胴１１の回転位置を調整した場合を示し、図１０（Ｃ）の場合は、見当及び紙厚調整で、版胴１１の位置がずれた場合を示す。
【００８３】
このずれを補正するため、図８に示すように、版胴１１の駆動系に、ロータリエンコーダ１６５を設け、版胴１１の回転位置をカウンタ１６４で検出する。このカウンタ１６４の位相を、版胴１１の回転原点に一致させるため、版胴１１にターゲット１１−１を設け、書込み装置１６の支持台１６１に、ターゲット１１−１を検出するセンサ１６７を設ける。センサ１６７は、光検出センサ、磁気センサ、静電センサ等周知のものを使用できる。ターゲット１１−１は、このセンサ１６７の検出態様に合わせた部材（例えば、金属、マーク）を利用できる。
【００８４】
書込み装置１６の書込みヘッド１６０及びモータ１６２を制御する制御回路１６３（図１では、符号「３５」で示した）は、エンコーダ１６５の出力パルスを計数するカウンタ１６４を有し、カウンタ１６４の示す版胴１１の位置に応じて、書込みヘッド１６０及びモータ１６２を制御する。
【００８５】
この制御回路１６３は、センサ１６７のターゲット検出出力を受け、カウンタ１６４をゼロリセットする。即ち、エンコーダ１６５の版胴位相に対するゼロ点（原点）を補正する。
【００８６】
このようにして、印刷のため、版胴１１が、書込み装置１６から位相がずれても、これを補正することができる。このため、印刷機に製版装置を搭載しても、正確な版面の画像形成が可能となる。
【００８７】
更に、本発明では、多色印刷機に適用することにより、エンコーダを１つで済ますことができる。図１１は、図８の印刷機を適用した多色印刷機の構成図である。図中、図１、図２及び図８で説明したものと同一のものは、同一の記号で示してある。
【００８８】
図１１において、多色印刷機は、図１の構成の製版型印刷機（以下、印刷ユニットという）１０が複数連結されて構成される。図では、４色の印刷ユニット１０−１〜１０−４を設置した多色印刷機を示す。スタッカ８１に積載されたカット紙は、給紙機構８２により、第１色目の印刷ユニット１０−４に搬送される。
【００８９】
第１色目の印刷ユニット１０−４では、一対のローラ２７、２８を介し、印刷ユニット１０−４のブランケット胴２０と圧胴２１との間に、カット紙が搬送され、第１色目の印刷を行う。第１色目の印刷ユニット１０−４で印刷されたカット紙は、中間胴２３を介し、第２色目の印刷ユニット１０−３のブランケット胴２０と圧胴２１との間に、搬送され、第２色目の印刷を行う。
【００９０】
第２色目の印刷ユニット１０−３で印刷されたカット紙は、複数の反転胴２６、２５、２４を介し、第３色目の印刷ユニット１０−２のブランケット胴２０と圧胴２１との間に、搬送され、第３色目の印刷を行う。第３色目の印刷ユニット１０−２で印刷されたカット紙は、中間胴２３を介し、第４色目の印刷ユニット１０−１のブランケット胴２０と圧胴２１との間に、搬送され、第４色目の印刷を行う。
【００９１】
そして、片面印刷であれば、第４色印刷ユニット１０−１で印刷されたカット紙は、排紙部８３の排紙ベルト２９で、ホッパ８４に排紙される。両面印刷の場合は、第１、第２の印刷ユニット１０−４、１０−３が、表面印刷を行い、第３、第４の印刷ユニット１０−２、１０−１が裏面印刷を行う。即ち、周知のように、反転胴２５により、搬送されるカット紙の後端（尻尾）を把持し、反転胴２５でカット紙の表裏を反転する。
【００９２】
この多色印刷機において、各印刷ユニット１０−１〜１０−４に、図１及び図２の製版装置１９が設けられる。又、製版装置１９を制御するカウンタ１６４を備えた制御回路１６３−１〜１６３−４が設けられる。製版装置１９の書込み装置１６は、図８で示すものであり、版胴１１のターゲット１１−１を検出するセンサ１６７を備える。
【００９３】
そして、各印刷ユニット１０−１〜１０−４の胴（版胴１１、ブランケット胴２０、圧胴２２）を駆動する駆動系には、１つの回転モータが設けられる。この駆動系の１つの回転軸（図では、印刷ユニット１０−１の圧胴２１の回転軸）に、駆動系に対し、１つのロータリエンコーダ１６５が設けられる。
【００９４】
各制御回路１６３−１〜１６３−４は、センサ１６７のターゲット検出出力を受け、カウンタ１６４をゼロリセットする。即ち、１つのエンコーダ１６５の版胴位相に対するゼロ点（原点）を補正する。
【００９５】
このようにして、印刷のため、多色印刷機でも、各印刷ユニット１０−１〜１０４の版胴１１が、書込み装置１６から位相がずれても、これを補正することができる。しかも、多色印刷機で、１つのエンコーダを利用でき、コストダウン及び設計の自由度が向上する。このため、多色印刷機に製版装置を搭載しても、正確な版面の画像形成が可能となる。
【０１００】
［他の実施の形態］
前述の実施の形態では、ネガタイプの現像方法で説明したが、ポジタイプの現像方法も適用できる。
【０１０１】
又、印刷機上の製版装置を、印刷機上で、感光性版剤の塗布、書込み、現像、洗浄、再生を行う版再生型印刷機の適用例で説明したが、他の版再生方法や、版面の再生を省略した製版装置にも適用できる。尚、印刷機として、版面に湿し水とインクを供給するもので説明したが、湿し水を使用しないものにも適用できる。
【０１０２】
更に、書込み装置を、画像露光装置で説明したが、他の製版方法に利用される書込み装置、例えば、インクジェットヘッド等の書込み装置にも適用できる。同様に、第１の実施の形態と第２の実施の形態を組み合わせて、適用できる。しかも、ブランケット胴と圧胴とを設けた枚葉オフセット印刷機で説明したが、新聞等の連続媒体の両面を同時印刷する輪転機等の両面印刷機にも適用できる。
【０１０３】
【発明の効果】
以上説明したように、調整機構により、版胴位置が、書込み装置からずれても、版胴に設けたターゲットを、書込み装置のセンサが検出して、エンコーダのゼロ点を補正するため、書込み開始位置を均一に且つ高精度に保つことができる。
【図面の簡単な説明】
【図１】  本発明の製版型印刷機の一実施の形態の構成図である。
【図２】  図１の製版型印刷機の部分詳細図である。
【図３】  図１の製版型印刷機に適用される製版プロセスの説明図である。
【図４】  図１の製版型印刷機の動作シーケンス説明図である。
【図５】  図１の製版型印刷機の見当・紙厚調整機構の構成図である。
【図６】  図５の紙厚調整機構の紙厚調整の説明図である。
【図７】  図５の調整機構による、紙厚調整、検討調整、製版調整の動作説明図である。
【図８】  本発明の書込み装置の実施の一形態の構成図である。
【図９】  図８の書込み装置の画像形成動作の説明図である。
【図１０】  図８の書込み装置の書込み動作の説明図である。
【図１１】  図８の構成を適用した多色印刷機の構成図である。
【符号の説明】
１  基材
２  感光性版剤層（画線材層）
２−１  親水化面
２−２  疎水化部
３  疎水性インク
４  湿し水
１０  製版型印刷機
１１  版胴
１２  乾燥装置
１３  版面処理装置（水溶液塗布装置）
１４  画線材塗布装置
１５  版面洗浄装置
１６  書込み装置
１７  インク供給ローラ
１８  湿し水供給装置
１９  版再生モジュール
２０  ブランケット胴
２１  圧胴
２２  用紙（媒体）
３０〜３３、７１〜７３  アクチュエータ
３５、１６３  制御部
３６  非接触温度センサ
１６０  書込みヘッド
１６１  支持体
１６２  モータ
１６４  カウンタ
１６５  ロータリエンコーダ
１６６  送りネジ
１６７  センサ
１１−１  ターゲット
【図１】
0003759011.tif 000002
【図２】
0003759011.tif 000003
【図３】
0003759011.tif 000004
【図４】
0003759011.tif 000005
【図５】
0003759011.tif 000006
【図６】
0003759011.tif 000007
【図７】
0003759011.tif 000008
【図８】
0003759011.tif 000009
【図９】
0003759011.tif 000010
【図１０】
0003759011.tif 000011
【図１１】
0003759011.tif 000012